(57)【要約】【課題】本発明は自動フィード装置及びスキャナーを含むフィード式スキャンを提示する。【解決手段】自動フィード装置はＵ字型紙送りチャネル、第一スキャンウィンドウ及び第一スキャンモジュールを含み、そのうちＵ字型紙送りチャネルはピックアップゾーン、反転ゾーン及びスキャンゾーンを含む。第一スキャンウィンドウは反転ゾーンに設置され、第一スキャンモジュールは第一スキャンウィンドウの傍に設置されペーパーの第一面のイメージを読取る。スキャナーは自動フィード装置下方に設置され、第二スキャンウィンドウと第二スキャンモジュールを含み、第二スキャンウィンドウはスキャンゾーンに設置され、また第二スキャンモジュールは第二スキャンウィンドウ下方に設置されペーパーの第二面のイメージを読取る。【選択図】図２
2008306694.tif 000002
【特許請求の範囲】
【請求項１】
ペーパーの第一面と第二面のイメージをスキャンするためのフィード式スキャナーであって、
Ｕ字型紙送りチャネル、第一スキャンウィンドウ及び第一スキャンモジュールを含み、前記Ｕ字型紙送りチャネルがピックアップゾーン、反転ゾーン及びスキャンゾーンを含み、前記第一スキャンウィンドウは前記反転ゾーンに設置され、また前記第一スキャンモジュールは前記第一スキャンウィンドウの傍に設置されて前記ペーパーの第一面のイメージを読取る自動フィード装置と、
前記自動フィード装置下方に設置され、第二スキャンウィンドウと第二スキャンモジュールを含み、前記第二スキャンウィンドウは前記スキャンゾーンに設置され、また前記第二スキャンモジュールは前記第二スキャンウィンドウ下方に設置され前記ペーパーの第二面のイメージを読取るスキャナーを含むことを特徴とするフィード式スキャナー。
【請求項２】
ローラーが前記反転ゾーンに設置され、前記ペーパーを押さえて前記ペーパーを前記スキャンウィンドウにぴったり付けることを更に含むことを特徴とする請求項1に記載するフィード式スキャナー。
【請求項３】
押板が前記反転ゾーンに設置され、前記ペーパーを押さえて前記ペーパーを前記スキャンウィンドウにぴったり付けることを更に含むことを特徴とする請求項1に記載するフィード式スキャナー。
【請求項４】
少なくとも一つの中継ロールセットが前記反転ゾーン内に設置されることを更に含むことを特徴とする請求項1に記載するフィード式スキャナー。
【請求項５】
前記第一スキャンモジュールが光源、反射ミラーセット、レンズセット及び電荷結合素子を含むことを特徴とする請求項1に記載するフィード式スキャナー。
【請求項６】
前記第二スキャンモジュールが光源、反射ミラーセット、レンズセット及び電荷結合素子を含むことを特徴とする請求項1に記載するフィード式スキャナー。
【発明の詳細な説明】
【技術分野】
【０００１】
本発明はフィード式スキャンに関し、特に両面スキャンを行えるフィード式スキャナーに関する。
【背景技術】
【０００２】
現在市場で散見されるスキャナーはプラットホーム式スキャナー以外に、別途自動フィード装置（ＡＤＦ）を配置したフィード式スキャナーは次第にユーザーの人気を博するようになっているが、特にユーザーが重なっているドキュメントをスキャンしようとする際、ユーザーはペーパーを自動フィード装置の取込口トレーに置くだけで、自動フィード装置は重なっているペーパーを順番にスキャナー内のスキャンモジュールに送り込んでスキャンし、自動的にスキャン作業を完了させて操作時間や人的資源を節約する。
【０００３】
現在発展しているフィード式スキャナーは既にペーパーを伝送する過程で同時にペーパーの両面のスキャン動作を完了させることができ、図１は二つのスキャンモジュールを設置して両面スキャンを行う従来のフィード式スキャンナーの構造概略図である。図１では、フィード式スキャナー１は自動フィード装置１１と  スキャナー１２を含む。自動フィード装置１１はピックアップモジュール１１１、スキャンウィンドウ１１２、スキャンモジュール１１３及びＵ字型紙送りチャネル１１４を含み、Ｕ字型紙送りチャネル１１４はピックアップゾーン１１４Ａ、反転ゾーン１１４Ｂ及びスキャンゾーン１１４Ｃを含む。そのうちピックアップモジュール１１１はピックアップゾーン１１４Ａ内に設置され、スキャン待機のぺーパーＳを順番に自動フィード装置１１の内部にフィードする。スキャンウィンドウ１１２は透明ウィンドウであって、スキャンゾーン１１４Ｂ上に設置する。スキャンモジュール１１３はスキャンゾーン１１４Ｂの傍のスキャンウィンドウ１１２の上方に設置してペーパーＳの第一面Ｓ１のイメージを読取る。このほかに、スキャンモジュール１１３は光源１１３Ａ、反射ミラーセット１１３Ｂ、レンズセット１１３Ｃ及び電荷結合素子１１３Ｄを含む。
【０００４】
スキャナー１２は自動フィード装置１１下方に設置され、スキャンウィンドウ１２１とスキャンモジュール１２２を含む。スキャンウィンドウ１２１は透明ウィンドウであって、同様にスキャンゾーン１１４Ｃに設置する。スキャンモジュール１２２はスキャナー１２内でプラットホーム式スキャン及びフィード式スキャンをする際ペーパーＳのイメージを読取るためのもので、スキャナー１２はフィード式スキャンをする際に、スキャンモジュール１２２はスキャンウィンドウ１２１の下方へ移動してペーパーＳの第二面Ｓ２のイメージを読取る。このほか、スキャンモジュール１２２は光源１２２Ａ、反射ミラーセット１２２Ｂ、レンズセット１２２Ｃ及び電荷結合素子１２２Ｄを含む。
【０００５】
前記従来のフィード式スキャナー１において、スキャンモジュール１１３と１２２が同様にスキャンゾーン１１４Ｃの範囲内にあるため、二つのスキャンモジュール１１３と１２２の間に容易に互いの光源１１３Ａと１２２Ａの干渉を受けてスキャン結果にイメージが重複したりする現象（シャドー反応と云う）が生じるため、フィード式スキャナー１のスキャンの質に影響を及ぼす。例を挙げると、スキャンモジュール１１３がペーパーの第一面Ｓ１のイメージを読取ると同時に、ペーパー第二面Ｓ２のイメージはスキャンモジュール１２２内の光源１２２Ａに照射されてスキャンモジュール１１３に投射され、スキャンモジュール１１３は同時にペーパー第一面Ｓ１とペーパー第二面Ｓ２のイメージを受け取ることでスキャン結果にイメージ重複現象が現れる。
【発明の開示】
【発明が解決しようとする課題】
【０００６】
本発明の目的は二つのスキャンモジュールを具備して両面スキャンができるフィード式スキャナーを提供することにあり、また当該フィード式スキャナーの中で二つのスキャンモジュールをずらして設置し互いの干渉を避けることで、イメージ重複の問題は起きないのである。
【課題を解決するための手段】
【０００７】
本発明はペーパーの第一面と第二面のイメージをスキャンするためのフィード式スキャナーを提供する。フィード式スキャナーは自動フィード装置とスキャナーを含む。自動フィード装置はＵ字型紙送りチャネル、第一スキャンウィンドウ及び第一スキャンモジュールを含み、そのうちＵ字型紙送りチャネルはピックアップゾーン、反転ゾーン及びスキャンゾーンを含み、第一スキャンウインドウは反転ゾーンに設置され、第一スキャンモジュールは第一スキャンウィンドウの傍に設置されて前記ペーパーの第一面のイメージを読取る。スキャナーは自動フィード装置の下方に設置して、第二スキャンウィンドウと第二スキャンモジュールを含み、そのうち第二スキャンウィンドウはスキャンゾーンに設置され、また第二スキャンモジュールは第二スキャンウィンドウ下方に設置されてペーパーの第二面のイメージを読取る。
【０００８】
好ましくはフィード式スキャナーが、ローラーが反転ゾーンに設置されペーパーを押さえてペーパーをスキャンウィンドウにぴったり付けることを更に含む。
【０００９】
好ましくはフィード式スキャナーが、押板が反転ゾーンに設置され、ペーパーを押さえてペーパーをスキャンウィンドウにぴったり付けることを更に含む。
【００１０】
好ましくはフィード式スキャナーが、少なくとも一つの中継ロールセットが反転ゾーン内に設置されることを更に含む。
【００１１】
好ましくはフィード式スキャナーの中の第一スキャンモジュールが光源、反射ミラーセット、レンズセット及び電荷結合素子を含む。
【００１２】
好ましくはフィード式スキャナーの中の第二スキャンモジュールが光源、反射ミラーセット、レンズセット及び電荷結合素子を含む。
【発明を実施するための最良の形態】
【００１３】
本発明を次に図面により詳細に説明する。
【実施例】
【００１４】
本発明による第一具体実施例ではフィード式スキャナーを提供し、当該フィード式スキャナーの構造概略図を図２に示す。フィード式スキャナー２は自動フィード装置２１とスキャナー２２を含む。自動フィード装置２１はピックアップモジュール２１１、スキャンウィンドウ２１２、スキャンモジュール２１３及びＵ字型紙送りチャネル２１４を含む。Ｕ字型紙送りチャネル２１４は自動フィード装置２１内でペーパーＳを伝送するチャネルであり、ピックアップゾーン２１４Ａ、反転ゾーン２１４Ｂ及びスキャンゾーン２１４Ｃを含む。そのうちピックアップモジュール２１１はピックアップゾーン２１４Ａ内に設置され、ペーパーＳを順番に自動フィード装置２１の内部にフィードする。スキャンウィンドウ２１２は透明ウィンドウであって、反転ゾーン２１４Ｂに設置する。スキャンモジュール２１３はスキャンウィンドウ２１２の傍に設置してペーパーＳの第一面Ｓ１のイメージを読取る。このほか、スキャンモジュール２１３は光源２１３Ａ、反射ミラーセット２１３Ｂ、レンズセット２１３Ｃ及び電荷結合素子２１３Ｄを含む。
【００１５】
続いて図２では、スキャナー２２は自動フィード装置２１下方に設置してスキャンウィンドウ２２１とスキャンモジュール２２２を含む。スキャンウィンドウ２２１は透明ウィンドウでスキャンゾーン２１４Ｃに設置される。スキャンモジュール２２２はスキャナー２２内でプラットホーム式スキャン及びフィード式スキャンを行う際にペーパーＳのイメージ読取用とし、スキャナー２２はフィード式スキャンを行う際、スキャンモジュール２２２はスキャンウィンドウ２２１の下方へ移動してペーパーＳの第二面Ｓ２のイメージを読取る。このほか、スキャンモジュール２２２は光源２２２Ａ、反射ミラーセット２２２Ｂ、レンズセット２２２Ｃ及び電荷結合素子２２２Ｄを含む。
【００１６】
引き続いて図２では、上記の本実施例が提供するフィード式スキャナー２において、スキャナー２２内にスキャンモジュール２２２を設置するほかに、自動フィード装置２１内のＵ字型紙送りチャネル２１４の反転ゾーン２１４Ｂにも別途スキャンモジュール２１３を設置する。このため、ペーパーＳがＵ字型紙送りチャネル２１４を通過する過程で、スキャンモジュール２１３と２２２は前後してペーパーの第一面Ｓ１及び第二面Ｓ２のイメージを読取って両面スキャンを完了させると共に、二つに分けて設置したスキャンモジュール２１３と２２２も互いの光源２１３Ａと２２２Ａの干渉を受けないのでスキャン結果にはイメージ重複現象は起きないのである。
【００１７】
引き続いて図３Ａで示すのは、本実施例が提供するフィード式スキャナー２の部分構造概略図に関するものである。フィード式スキャナー２の中の自動フィード装置２１内のスキャンモジュール２１３はＵ字型紙送りチャネル２１４の反転ゾーン２１４Ｂの傍に設置するため、自動フィード装置２１は特に反転ゾーン２１４Ｂにローラー２１５を取付けてペーパーＳが反転ゾーン２１４Ｂを通過する際ペーパーＳを押えてスキャンウィンドウ２１２にぴったり付けることにより、ペーパーＳがスキャンモジュール２１３の焦点深度内でピンぼけ現象の発生を抑えることを保証するものである。
【００１８】
本実施例で提供するフィード式スキャナー２は反転ゾーン２１４Ｂにロール２１５を設置することでペーパーＳをスキャンウィンドウ２１２にぴったり合せることができる。しかし、本発明によるその他の具体実施例が提供するフィード式スキャナーで、図３Ｂで示すように押板２１６を採用することもでき、また同様にペーパーＳが反転ゾーン２１４Ｂを通過する際にも、ペーパーＳを押えてスキャンウィンドウ２１２にぴったり合せることができる。
【００１９】
図２では、本発明が提供するフィード式スキャナー２において、自動フィード装置２１は少なくとも一組の中継ロールセット２１７をＵ字型紙送りチャネルの反転ゾーン２１４Ｂ内に増設することができ、ペーパーＳを伝送する動力を提供してピックアップモジュール２１１がフィードするペーパーＳをスキャンモジュール２１３と２２２へスムースに伝送し、ペーパーＳの両面スキャンを完了させる。
【００２０】
以上述べた実施例は本発明の技術趣旨及び特徴を説明したに過ぎず、その目的は当業者が本発明の内容を理解し実施することにあるのであって、本発明の特許の範囲を限定するものではない。本発明で開示した趣旨により行った等価変更若しくは補正は、全て本発明における特許請求の範囲内に含まれるものとする。
【図面の簡単な説明】
【００２１】
【図１】従来のフィード式スキャナーを示した構造概略図である。
【図２】本発明の第一具体実施例が提供するフィード式スキャナーを示した構造概略図である。
【図３Ａ】本発明の第一具体実施例が提供するフィード式スキャナーを示した部分構造概略図である。
【図３Ｂ】本発明のその他の具体実施例が提供するフィード式スキャナーを示した部分構造概略図である。
【符号の説明】
【００２２】
１、２              フィード式スキャナー
１１、２１          自動フィード装置
１１１、２１１      ピックアップモジュール
１１２、２１２      スキャンウィンドウ
１１３、２１３      スキャンモジュール
１１３Ａ、２１３Ａ  光源  
１１３Ｂ、２１３Ｂ  反射ミラーセット
１１３Ｃ、２１３Ｃ  レンズセット
１１３Ｄ、２１３Ｄ  電荷結合素子
１１４、２１４      Ｕ字型紙送りチャネル
１１４Ａ、２１４Ａ  ピックアップゾーン
１１４Ｂ、２１４Ｂ  反転ゾーン
１１４Ｃ、２１４Ｃ  スキャンゾーン
２１５              ローラー
２１６              押板
２１７              中継ロールセット
１２、２２          スキャナー
１２１、２２１      スキャンウィンドウ
１２２、２２２      スキャンモジュール
１２２Ａ、２２２Ａ  光源
１２２Ｂ、２２２Ｂ  反射ミラーセット
１２２Ｃ、２２２Ｃ  レンズセット
１２２Ｄ、２２２Ｄ  電荷結合素子
Ｓ                  ペーパー  
Ｓ１                ペーパーの第一面
Ｓ２                ペーパーの第二面
【図１】
2008306694.tif 000003
【図２】
2008306694.tif 000004
【図３Ａ】
2008306694.tif 000005
【図３Ｂ】
2008306694.tif 000006